(57)【要約】【課題】  記録媒体に記録されているデータの種類を示す情報が誤っている場合においても、そのデータを正常に再生することができるようにする。【解決手段】ピックアップ部３は、光ディスク１に記録されているTOC情報を読出し、ＲＦアンプ４および再生処理部８を介してCPU７に供給する。CPU７は、TOC情報のコントロールビットに基づいて、光ディスク１のデータ領域に記録されているオーディオデータがROMデータであるか否かを判定し、オーディオデータがROMデータであると判定した場合、データ領域にROMデータが記録されているか否かを判定する。CPU７は、ROMデータが記録されていないと判定した場合、光ディスク１に記録されているオーディオデータをCD-DAデータとして、再生するように再生処理部８を制御する。本発明は、例えば、ディスク再生装置に適用することができる。【選択図】図１
2005141796.tif 000002
【特許請求の範囲】
【請求項１】
データが記録されるデータ領域と、前記データの種類を示す識別情報を含む管理情報が記録される管理領域とを有する記録媒体を再生する再生装置において、
前記記録媒体に記録されている前記データおよび前記管理情報を読み出す読み出し手段と、
前記読み出し手段により読み出された前記データの再生処理を行う再生手段と、
前記読み出し手段により読み出された前記管理情報の前記識別情報に基づいて、前記データが第１のフォーマットのデータであるか否かを判定する識別情報判定手段と、
前記識別情報判定手段により前記データが前記第１のフォーマットのデータであると判定された場合、前記データ領域に前記第１のフォーマットのデータが記録されているか否かを判定するデータ領域判定手段と、
前記データ領域判定手段により前記データ領域に前記第１のフォーマットのデータが記録されていないと判定された場合、前記データを第２のフォーマットのデータとして再生するように、前記再生手段における再生処理を制御する制御手段と
を備えることを特徴とする再生装置。
【請求項２】
前記識別情報判定手段は、前記識別情報に基づいて、前記データが前記第２のフォーマットのデータであるか否かも判定し、
前記制御手段は、前記識別情報判定手段により前記データが前記第２のフォーマットのデータであると判定された場合、前記データを前記第２のフォーマットのデータとして再生するように、前記再生手段における再生処理を制御する
ことを特徴とする請求項１に記載の再生装置。
【請求項３】
前記制御手段は、前記識別情報判定手段により前記データが前記第２のフォーマットのデータであると判定された場合、または前記データ領域判定手段により前記データ領域に前記第１のフォーマットのデータが記録されていないと判定された場合、前記管理情報に基づいて、前記再生手段における再生処理を制御する
ことを特徴とする請求項２に記載の再生装置。
【請求項４】
前記データ領域には、複数の前記データが記録されており、
前記管理情報は、複数の前記データのそれぞれのアドレスを示すアドレス情報をさらに含み、
前記制御手段は、さらに、前記アドレス情報に基づいて、前記読み出し手段を制御することにより、前記データ領域に記録された前記データを読み出させる
ことを特徴とする請求項１に記載の再生装置。
【請求項５】
前記第１のフォーマットのデータは、MP3（MPEG（Moving Picture Experts Group）-１ Audio Layer 3）規格に準拠して圧縮されたデータであり、
前記第２のフォーマットのデータは、CD-DA（Compact Disc Digital Audio）のデータである
ことを特徴とする請求項１に記載の再生装置。
【請求項６】
前記記録媒体は、メディアクロック（Media CloQ）方式のCCCD（Copy Control Compact Disc）である
ことを特徴とする請求項１に記載の再生装置。
【請求項７】
データが記録されるデータ領域と、前記データの種類を示す識別情報を含む管理情報が記録される管理領域とを有する記録媒体を再生する再生装置の再生方法において、
前記記録媒体に記録されている前記データおよび前記管理情報を読み出す読み出しステップと、
前記読み出しステップの処理により読み出された前記データの再生処理を行う再生ステップと、
前記読み出しステップの処理により読み出された前記管理情報の前記識別情報に基づいて、前記データが第１のフォーマットのデータであるか否かを判定する識別情報判定ステップと、
前記識別情報判定ステップの処理により前記データが前記第１のフォーマットのデータであると判定された場合、前記データ領域に前記第１のフォーマットのデータが記録されているか否かを判定するデータ領域判定ステップと、
前記データ領域判定ステップの処理により前記データ領域に前記第１のフォーマットのデータが記録されていないと判定された場合、前記データを第２のフォーマットのデータとして再生するように、前記再生ステップにおける再生処理を制御する制御ステップと
を含むことを特徴とする再生方法。
【発明の詳細な説明】
【技術分野】
【０００１】
本発明は、再生装置および再生方法に関し、特に、記録媒体に記録されているデータの種類を示す識別情報が誤っている場合においても、そのデータを正常に再生することができるようにする再生装置および再生方法に関する。
【背景技術】
【０００２】
近年、デジタル技術の発達に伴い、ＣＤ（Compact Disc）などの記録媒体（メディア）に記録されているデジタルオーディオデータを再生する記録媒体再生装置としての、例えば、ＣＤプレーヤが広く普及している。デジタルオーディオデータの種類としての、例えば、フォーマットとしては、CD-DA（Compact Disc Digital Audio）等の非圧縮オーディオデータやMP3（MPEG（Moving Picture Experts Group）-１ Audio Layer 3）規格等に準拠して圧縮された圧縮オーディオデータがあり、最近では、非圧縮オーディオデータとMP3規格等に準拠して圧縮された圧縮オーディオデータの両方を再生可能なＣＤプレーヤも一般化してきている。
【０００３】
非圧縮オーディオデータと圧縮オーディオデータの両方を再生可能なＣＤプレーヤでは、ＣＤに記録されているTOC（Table Of Contents）情報を読み出し、ＣＤに記録されているオーディオデータが、非圧縮オーディオデータであるCD-DAのデータであるか、または圧縮オーディオデータであるMP3のデータ（CD-ROMデータ）であるかを認識している（例えば、特許文献１参照）。
【０００４】
【特許文献１】特開２００２−１９０１６０号公報
【発明の開示】
【発明が解決しようとする課題】
【０００５】
一方、音楽ＣＤの違法コピーを防止するため、CCCD(Copy Control CD)と呼ばれる、コピーコントロール技術が適用された音楽ＣＤが普及しつつある。コピーコントロール技術としては、例えば、サンコム社が開発したメディアクロック（Media CloQ）などがある。メディアクロックでは、TOC情報のオーディオデータの種類（フォーマット）を示すコントロールビットなどに意図的に嘘の情報（真実でない情報）が記述される。このようなCCCDを、TOC情報によりオーディオデータのフォーマットを認識するＣＤプレーヤで再生しようとすると、正常な音楽再生を行うことができないことがあった。
【０００６】
即ち、例えば、メディアクロック方式のCCCDには、CD-DAの非圧縮オーディオデータが記録されているが、TOC情報のコントロールビットには、嘘の情報として、オーディオデータのフォーマットがMP3であることを示す情報が記述される。このためＣＤプレーヤでは、その嘘の情報により、ＣＤに記録されているオーディオデータがMP3のデータであると誤認識して再生処理を行おうとするため、正常な音楽再生を行うことができない場合があった。
【０００７】
本発明は、このような状況に鑑みてなされたものであり、記録媒体に記録されているデータの種類を示す情報が誤っている場合においても、そのデータを正常に再生することができるようにするものである。
【課題を解決するための手段】
【０００８】
本発明の再生装置は、記録媒体に記録されているデータおよび管理情報を読み出す読み出し手段と、読み出し手段により読み出されたデータの再生処理を行う再生手段と、読み出し手段により読み出された管理情報の識別情報に基づいて、データが第１のフォーマットのデータであるか否かを判定する識別情報判定手段と、識別情報判定手段によりデータが第１のフォーマットのデータであると判定された場合、データ領域に第１のフォーマットのデータが記録されているか否かを判定するデータ領域判定手段と、データ領域判定手段によりデータ領域に第１のフォーマットのデータが記録されていないと判定された場合、データを第２のフォーマットのデータとして再生するように、再生手段における再生処理を制御する制御手段とを備えることを特徴とする。
【０００９】
識別情報判定手段には、識別情報に基づいて、データが第２のフォーマットのデータであるか否かも判定させ、制御手段には、識別情報判定手段によりデータが第２のフォーマットのデータであると判定された場合、データを第２のフォーマットのデータとして再生するように、再生手段における再生処理を制御させることができる。
【００１０】
制御手段には、識別情報判定手段によりデータが第２のフォーマットのデータであると判定された場合、またはデータ領域判定手段によりデータ領域に第１のフォーマットのデータが記録されていないと判定された場合、管理情報に基づいて、再生手段における再生処理を制御させることができる。
【００１１】
データ領域に、複数のデータが記録されており、管理情報に、複数のデータのそれぞれのアドレスを示すアドレス情報がさらに含まれる場合、制御手段には、さらに、アドレス情報に基づいて、読み出し手段を制御させることにより、データ領域に記録されたデータを読み出させることができる。
【００１２】
第１のフォーマットのデータは、MP3（MPEG（Moving Picture Experts Group）-１ Audio Layer 3）規格に準拠して圧縮されたデータとし、第２のフォーマットのデータは、CD-DA（Compact Disc Digital Audio）のデータとすることができる。
【００１３】
記録媒体は、メディアクロック（Media CloQ）方式のCCCD（Copy Control Compact Disc）とすることができる。
【００１４】
本発明の再生方法は、記録媒体に記録されているデータおよび管理情報を読み出す読み出しステップと、読み出しステップの処理により読み出されたデータの再生処理を行う再生ステップと、読み出しステップの処理により読み出された管理情報の識別情報に基づいて、データが第１のフォーマットのデータであるか否かを判定する識別情報判定ステップと、識別情報判定ステップの処理によりデータが第１のフォーマットのデータであると判定された場合、データ領域に第１のフォーマットのデータが記録されているか否かを判定するデータ領域判定ステップと、データ領域判定ステップの処理によりデータ領域に第１のフォーマットのデータが記録されていないと判定された場合、データを第２のフォーマットのデータとして再生するように、再生ステップにおける再生処理を制御する制御ステップとを含むことを特徴とする。
【００１５】
本発明においては、記録媒体に記録されているデータおよび管理情報が読み出され、読み出されたデータの再生処理が行われる。一方、読み出された管理情報の識別情報に基づいて、データが第１のフォーマットのデータであるか否かが判定され、データが第１のフォーマットのデータであると判定された場合、データ領域に第１のフォーマットのデータが記録されているか否かが判定される。そして、データ領域に第１のフォーマットのデータが記録されていないと判定された場合、データが第２のフォーマットのデータとして再生されるように、再生処理が制御される。
【発明の効果】
【００１６】
本発明によれば、記録媒体に記録されているデータの種類を示す情報が誤っている場合においても、そのデータを正常に再生することができるようにする。
【発明を実施するための最良の形態】
【００１７】
以下に本発明の最良の形態を説明するが、開示される発明と実施の形態との対応関係を例示すると、次のようになる。本明細書中には記載されているが、発明に対応するものとして、ここには記載されていない実施の形態があったとしても、そのことは、その実施の形態が、その発明に対応するものではないことを意味するものではない。逆に、実施の形態が発明に対応するものとしてここに記載されていたとしても、そのことは、その実施の形態が、その発明以外の発明には対応しないものであることを意味するものでもない。
【００１８】
さらに、この記載は、明細書に記載されている発明の全てを意味するものではない。換言すれば、この記載は、明細書に記載されている発明であって、この出願では請求されていない発明の存在、すなわち、将来、分割出願されたり、補正により出現し、追加される発明の存在を否定するものではない。
【００１９】
本発明によれば、再生装置が提供される。この再生装置は、データが記録されるデータ領域と、データの種類を示す識別情報を含む管理情報が記録される管理領域とを有する記録媒体を再生する再生装置において、記録媒体に記録されているデータおよび管理情報を読み出す読み出し手段（例えば、図１のピックアップ部３）と、読み出し手段により読み出されたデータの再生処理を行う再生手段（例えば、図１の再生処理部８）と、読み出し手段により読み出された管理情報の識別情報に基づいて、データが第１のフォーマットのデータであるか否かを判定する識別情報判定手段（例えば、図６のステップＳ１４の処理を実行するCPU７）と、識別情報判定手段によりデータが第１のフォーマットのデータであると判定された場合、データ領域に第１のフォーマットのデータが記録されているか否かを判定するデータ領域判定手段（例えば、図６のステップＳ１６の処理を実行するCPU７）と、データ領域判定手段によりデータ領域に第１のフォーマットのデータが記録されていないと判定された場合、データを第２のフォーマットのデータとして再生するように、再生手段における再生処理を制御する制御手段（例えば、図６のステップＳ１８の処理を実行するCPU７）とを備えることを特徴とする。
【００２０】
この識別情報判定手段は、識別情報に基づいて、データが第２のフォーマットのデータであるか否かも判定し（例えば、図６のステップＳ１２）、制御手段は、識別情報判定手段によりデータが第２のフォーマットのデータであると判定された場合、データを第２のフォーマットのデータとして再生するように、再生手段における再生処理を制御する（例えば、図６のステップＳ１３）ようにすることができる。
【００２１】
この制御手段は、識別情報判定手段によりデータが第２のフォーマットのデータであると判定された場合、またはデータ領域判定手段によりデータ領域に第１のフォーマットのデータが記録されていないと判定された場合、管理情報に基づいて、再生手段における再生処理を制御するようにすることができる。
【００２２】
このデータ領域には、複数のデータが記録されており、管理情報は、複数のデータのそれぞれのアドレスを示すアドレス情報をさらに含み、制御手段は、さらに、アドレス情報に基づいて、読み出し手段を制御することにより、データ領域に記録されたデータを読み出させるようにすることができる。
【００２３】
第１のフォーマットのデータは、MP3（MPEG（Moving Picture Experts Group）-１ Audio Layer 3）規格に準拠して圧縮されたデータであり、第２のフォーマットのデータは、CD-DA（Compact Disc Digital Audio）のデータであるようにすることができる。
【００２４】
記録媒体は、メディアクロック（Media CloQ）方式のCCCD（Copy Control Compact Disc）であるようにすることができる。
【００２５】
また、本発明によれば、再生方法が提供される。この再生方法は、データが記録されるデータ領域と、データの種類を示す識別情報を含む管理情報が記録される管理領域とを有する記録媒体を再生する再生装置の再生方法において、記録媒体に記録されているデータおよび管理情報を読み出す読み出しステップ（例えば、図６のステップＳ１１）と、  読み出しステップの処理により読み出されたデータの再生処理を行う再生ステップ（例えば、図７のステップＳ３２，Ｓ３４，Ｓ３５）と、読み出しステップの処理により読み出された管理情報の識別情報に基づいて、データが第１のフォーマットのデータであるか否かを判定する識別情報判定ステップ（例えば、図６のステップＳ１４）と、識別情報判定ステップの処理によりデータが第１のフォーマットのデータであると判定された場合、データ領域に第１のフォーマットのデータが記録されているか否かを判定するデータ領域判定ステップ（例えば、図６のステップＳ１６）と、データ領域判定ステップの処理によりデータ領域に第１のフォーマットのデータが記録されていないと判定された場合、データを第２のフォーマットのデータとして再生するように、再生ステップにおける再生処理を制御する制御ステップ（例えば、図６のステップＳ１８）とを含むことを特徴とする。
【００２６】
以下、本発明を適用した具体的な実施の形態について、図面を参照しながら詳細に説明する。
【００２７】
図１は、本発明を適用したディスク再生装置の一実施の形態の構成例を示すブロック図である。
【００２８】
図１のディスク再生装置では、例えば、いわゆるレッドブックに準拠したＣＤや、レッドブックに準拠していないCCCDなどの光ディスク１に記録されているオーディオデータや、そのオーディオデータの種類としての、例えばフォーマットを示すコントロールビット（識別情報）を含むTOC（Table Of Contents）情報（管理情報）等が読み出され、そのTOC情報等にしたがい、オーディオデータの再生が行われる。
【００２９】
ディスク再生装置は、スピンドルモータ２、ピックアップ部３、ＲＦ（Radio Frequency）アンプ４、サーボDSP（Digital Signal Processor）部５、モータドライバ６、CPU（Central Processing Unit）７、再生処理部８、DAC(Digital Analog Converter)９、アンプ１０、およびスピーカ１１から構成される。
【００３０】
スピンドルモータ２は、モータドライバ６により制御され、光ディスク１をCLV(Constant Linear Velocity)またはCAV（Constant Angular Velocity）で回転駆動する。
【００３１】
ピックアップ部３は、モータドライバ６により制御され、光ディスク１に記録されているデータを読み出す。即ち、ピックアップ部３は、光ディスク１にレーザ光を集光して照射する。さらに、ピックアップ部３は、光ディスク１からの反射光を受光して光電変換し、その結果得られる信号を、ＲＦアンプ４に供給する。
【００３２】
ＲＦアンプ４は、ピックアップ部３から供給される信号に基づいて、フォーカス誤差信号およびトラッキング誤差信号、並びにＲＦ信号を生成し、トラッキング誤差信号およびフォーカス誤差信号をサーボDSP部５に供給するとともに、ＲＦ信号を２値化し、再生処理部８に供給する。
【００３３】
サーボDSP部５は、フォオーカスサーボ動作やトラッキングサーボ動作の制御を行う。具体的には、サーボDSP部５は、ＲＦアンプ３から供給されるフォーカス誤差信号とトラッキング誤差信号に基づいて、フォーカスサーボ信号とトラッキングサーボ信号をそれぞれ生成し、モータドライバ６に供給する。さらに、サーボDSP部５は、CPU７からの制御にしたがい、ピックアップ部３の位置を制御する位置制御信号を、モータドライバ６に供給する。また、サーボDSP部５は、スピンドルモータ２を駆動するスピンドルモータ駆動信号を生成して、モータドライバ６に供給する。
【００３４】
モータドライバ６は、サーボDSP部５から供給されるフォーカスサーボ信号、トラッキングサーボ信号、および位置制御信号に基づいて、ピックアップ部３を制御し、ピックアップ３のレーザ光の照射位置を所定の位置にする。また、モータドライバ６は、サーボDSP部５から供給されるスピンドルモータ駆動信号に基づいて、スピンドルモータ２を制御し、スピンドルモータ２を回転駆動させる。
【００３５】
CPU７は、図示せぬメモリに記憶されたプログラムを実行することで、各種の処理を行う。具体的には、CPU７は、例えば、サーボDSP部５を制御し、ピックアップ部３に、光ディスク１に記録されているデータを読み出させる。即ち、CPU７は、サーボDSP部５およびモータドライバ６を介して、スピンドルモータ２を駆動し、これにより、光ディスク１を回転させる。さらに、CPU７は、サーボDSP部５およびモータドライバ６を介して、ピックアップ部３を制御し、光ディスク１の所定の位置にアクセスさせ、その位置に記録されているデータを読み出させる。また、CPU７は、再生処理部８から供給されるTOC情報を用いて、光ディスク１に記録されているオーディオデータの種類としての、例えば、フォーマットを判定し、その判定結果に基づいて、再生処理部８の再生処理を制御する。
【００３６】
再生処理部８は、ＲＦアンプ４から供給されるＲＦ信号からTOC情報を得て、CPU７に供給する。さらに、再生処理部８は、CPU７の制御にしたがい、ＲＦアンプ４から供給されるＲＦ信号に対して、再生処理を施す。即ち、再生処理部８は、ＲＦアンプ４から供給されるＲＦ信号に対して、例えば、フレーム同期信号の検出や、サブコーディングの検出、EFM（Eight to Fourteen Modulation）復調、誤り検出/訂正等のCD-DAのオーディオデータ（以下、適宜、CDDAデータとも称する）を再生する再生処理を施し、DAC９に出力する。また、再生処理部８は、例えば、MP3の規格に準拠したデコードを行うデコード部８Ａを内蔵しており、ＲＦアンプ４から供給されるＲＦ信号を、デコード部８Ａにデコードさせる等の、MP3のオーディオデータの再生処理を行い、その再生処理の結果得られるオーディオデータを、DAC９に出力する。デコード部８Ａは、再生処理部８に供給されるＲＦ信号を、必要に応じてデコードする。
【００３７】
DAC９は、再生処理部８から供給されるオーディオデータを、デジタル信号からアナログ信号に変換して、アンプ１０に供給する。
【００３８】
アンプ１０は、DAC９から供給されるアナログのオーディオ信号を増幅し、スピーカ１１に供給して出力させる。
【００３９】
以上のように構成される図１のディスク再生装置では、光ピックアップ部３において、光ディスク１に記録されているデータが、ＲＦ信号の形で読み出され、ＲＦアンプ４を介して再生処理部８に供給される。再生処理部８は、そこに供給されるＲＦ信号からTOC情報を得て、CPU７に供給する。
【００４０】
CPU７は、再生処理部８から供給されるTOC情報に基づき、光ディスク１に記録されているオーディオデータが、圧縮されたデータであるMP3のデータであるか、または非圧縮データであるCD-DAのデータであるかを判定し、その判定結果に基づき、再生処理部８の再生処理を制御する。再生処理部８は、CPU７の制御にしたがい、ＲＦアンプ４からのＲＦ信号からオーディオデータを再生する再生処理を行う。再生処理部８による再生処理の結果得られるオーディオデータは、DAC９およびアンプ１０を介してスピーカ１１に供給されて出力される。
【００４１】
図２は、図１の光ディスク１の構成例の概要を示している。
【００４２】
図２において、光ディスク１は、２つのセッションから構成されるマルチセッションＣＤとなっている。ここで、セッションとは、リードインで始まり、リードアウトで終わる１つの単位をいう。なお、マルチセッションＣＤのうち、最初のセッションにオーディオデータが書き込まれ、２つ目以降のセッションにCD-ROMとしてのデータが書き込まれたものについては、CD-EXTRAの仕様書である、いわゆる「ブルーブック」にその規格が定められている。
【００４３】
図２では、光ディスク１の記録領域が内周側から外周方向に向かって、４つの記録領域３１乃至記録領域３４に区分されている。また、図２の光ディスク１は、第１と第２の２つのセッションを有している。第１セッションは、記録領域３１と記録領域３２から構成されている。記録領域３１には、記録領域３２についてのTOC情報を含むリードインが記録され、記録領域３２には、非圧縮オーディオデータであるCD-DAデータと、リードアウトが記録されている。また、第２セッションは、記録領域３３と記録領域３４から構成され、記録領域３３には、記録領域３４についてのTOC情報を含むリードイン等が記録され、記録領域３４には、圧縮オーディオデータであるMP3のデータ（以下、適宜、ROMデータとも称する）と、リードアウトが記録されている。
【００４４】
図３は、図２の光ディスク１のフォーマットの例を示している。
【００４５】
光ディスク１は、CD-DAデータ、ROMデータ等のデータが記録されるデータ領域と、TOC情報が記録される管理領域とを有している。
【００４６】
図２で説明したように、光ディスク１においては、その内周側から外周側方向に、第１セッションと第２セッションとが順次形成されている。第１セッションは、光ディスク１の内周側から外周側方向に、リードイン(エリア)、CD-DAトラック、リードアウト（エリア）が順次形成されて構成される。
【００４７】
ここで、上述したように、リードインからリードアウトまでが１つのセッションを構成し、このリードインとリードアウトを含む光ディスク１上の所定の記録領域を、管理領域と呼ぶ。また、リードインを含む管理領域と、リードアウトを含む管理領域との間に挟まれる記録領域が、本来のデータが記録されるデータ領域である。
【００４８】
図３では、第１セッションは、リードインのみからなる管理領域と、リードアウトのみからなる管理領域とを有している。また、第１セッションのデータ領域には、CD-DAのオーディオデータであるCD-DAトラックが形成されている。なお、図３において、第１セッションのリードインが形成（記録）された管理領域が、図２の記録領域３１に対応し、第１セッションのデータ領域と、リードアウトが形成された管理領域とが、図２の記録領域３２に対応している。
【００４９】
第２セッションは、光ディスク１の内周側から外周方向に、リードイン、PVD(Primary Volume Descriptor)、パステーブル、リードアウトが順次形成されて構成されている。
【００５０】
図３では、第２セッションは、リードイン、PVD、およびパステーブルからなる管理領域と、リードアウトのみからなる管理領域とを有している。また、第２セッションにおいて２つの管理領域に挟まれるデータ領域には、MP3のオーディオデータであるROMトラックが形成されている。なお、図３において、第２セッションのリードイン、PVD、およびパステーブルが形成された管理領域が、図２の記録領域３３に対応し、第２セッションのデータ領域と、リードアウトが形成された管理領域とが、図２の記録領域３４に対応している。
【００５１】
CD-DAトラックとROMトラックでは、最初のトラックが再生されるまでの時間であるプレギャップが、それぞれ２秒となっている。
【００５２】
また、各セッションのリードインには、そのセッションのデータ領域に記録されるオーディオデータのフォーマットを示すコントロールビットを含むTOC情報等が記録される。CD-DAトラックは、１つの曲のCD-DAのオーディオデータを１トラックとする、単数または複数のトラックであり、ROMトラックは、例えば１以上の曲のROMデータから構成される。PVDには、例えば、第２セッションがISO9660に準拠していることを示すデータが記述されており、パステーブルには、例えば、光ディスク１のディレクトリ情報が記述されている。
【００５３】
なお、ROMトラックには、その他、いわゆるCD-ROMフォーマットの、コンピュータ等で扱うデータを記録することができる。
【００５４】
図４は、図３のリードインに記録されるTOC情報のフォーマットの例を示している。
【００５５】
TOC情報は、その先頭から、４ビットのコントロールビット、４ビットのアドレスビット、８ビットの楽章番号TNO、８ビットのPOINT、８ビットのＴmin、８ビットのＴsec、８ビットのＴframe、８ビットの０、８ビットのＰmin、８ビットのＰsec、８ビットのＰframe、１６ビットのCRC（Cyclic Redundancy Code）が順次配置されて構成される。なお、楽章番号TNO、POINT、Ｔmin、Ｔsec、Ｔframe、８ビットの０、Ｐmin、Ｐsec、およびＰframeは、データビットと呼ばれる。以下、データビットの値は、BCD（Binary Coded Decimal）で表現する。
【００５６】
４ビットのコントロールビットには、データ領域（例えば、図３のCD-DAトラックまたはROMトラック）に記録されるオーディオデータの種類（フォーマット）を示す識別情報が記録される。例えば、オーディオデータがCD-DAデータである場合、コントロールビットは、「００００」となり、オーディオデータがROMデータ（MP3のデータ）である場合、コントロールビットは、「０１００」となる。
【００５７】
アドレスビットには、例えば、「０００１」、「００１０」、または「００１１」が記録される。
【００５８】
楽章番号TNOには、リードインを示す００が記録され、POINTには、後述するＰmin、Ｐsec、Ｐframeの内容を表す情報として、００乃至９９や、Ａ０、Ａ１などが記録される。また、Ｔmin、Ｔsec、Ｔframeには、トラック内での経過時刻の分、秒、フレーム番号がそれぞれ記録される。さらに、Ｐmin、Ｐsec、Ｐframeには、POINTの内容に対する絶対時刻の分、秒、フレーム番号がそれぞれ記録される。
【００５９】
即ち、図４のTOC情報は、オーディオデータのトラック毎に存在し、各トラックのTOC情報のPOINTには、そのトラックを表す００乃至９９の範囲のいずれかの値が記録される。さらに、オーディオデータのトラックについてのTOC情報の、Ｐmin、Ｐsec、Ｐframeには、POINTに記録された数字で示されるトラックが始まる絶対時刻（絶対時刻である開始時刻）（開始アドレス）が記録される。
【００６０】
また、POINTがＡ０とき、Ｐminには、データ領域に記録されている最初の曲のオーディオデータのトラック番号が記録され、POINTがＡ１のとき、Ｐminには、最後の曲のオーディオデータのトラック番号が記録される。なお、POINTがＡ０またはＡ１の場合、Ｐsec、Ｐframeには、それぞれ００が記録される。
【００６１】
CRCには、データビットに記録されるデータに対する巡回符号の誤り検出に必要な情報が記録される。
【００６２】
図５は、TOC情報によって表現される光ディスク１の情報の例を示している。なお、光ディスク１は、図３に示したように、２つのセッションである第１セッションと第２セッションを有している。また、図５では、光ディスク１は、第１セッションのTOC情報のコントロールビットに、嘘の情報を記録させたCCCDとなっている。
【００６３】
第１セッションのデータ領域には、図３に示すように、CD-DAデータが記録されているが、第１セッションのすべてのトラックのTOC情報それぞれのコントロールビットには、嘘の情報として、ROMデータが記録されていることを示す、例えば、「０１００」が記録される。即ち、第１セッションのすべてのトラックに関するTOC情報それぞれのコントロールビットは、対応するオーディオデータのトラックがROMトラックであることを示すROMトラック情報になっている。
【００６４】
図５では、第１セッションの最初のトラック番号（START TRACK）は１となっており、最後のトラック番号（LAST TRACK）は１５となっている。即ち、第１セッションのTOC情報のうちの、POINT（図４）がＡ０になっているTOC情報におけるＰminは０１となっており、POINTがＡ１になっているTOC情報におけるＰminは１５となっている。
【００６５】
第１セッションは、図３に示すように、最初のトラックTRACK１が再生されるまでの時間であるプレギャップが、２秒となっているので、TRACK１の開始時刻の絶対時間が２秒（00'02''00）となっている。また、２番目のトラックTRACK２の開始時刻の絶対時間が２分２１秒８フレーム（02'21''08）となっている。即ち、第1セッションのTOC情報のうちの、POINTが０１になっているTOC情報におけるＰsecは０２となっており、POINTが０２になっているTOC情報におけるＰmin、Ｐsec、Ｐframeは、それぞれ０２、２１、０８となっている。同様に、TOC情報のPOINTの０３から１３までのそれぞれに対して、TOC情報のＰmin、Ｐsec、Ｐframeには、TRACK３から１３までのそれぞれの開始時刻の絶対時間が記録されている。
【００６６】
そして、第１セッションのTRACK１４の開始時刻としての絶対時刻は、３３分３１秒３０フレーム（33'31''30）となっており、第２セッションのTRACK１５の開始時刻としての絶対時刻は、３５分５５秒５５フレーム（35'55''55）となっている。また、リードアウト（LEAD OUT）の開始時刻としての絶対時刻は、３８分２１秒４２フレーム（38'21''42）となっており、次のセッションのリードインのアドレス（Next Address）、即ち第２セッションのリードインのアドレスの開始時刻としての絶対時刻は、４０分５１秒４２フレーム（41'51''42）となっている。
【００６７】
また、第２セッションの最初のトラック番号（START TRACK）は１６となっており、最後のトラック番号（LAST TRACK）は１６となっている。即ち、第２セッションのTOC情報のうちの、POINT（図４）がＡ０とＡ１になっているTOC情報におけるＰminは、それぞれ１６となっている。
【００６８】
第２セッションは、図３に示すように、最初のトラックTRACK１６が再生されるまでの時間であるプレギャップが、第１セッションと同様に、２秒となっているので、TRACK１６の開始時刻としての絶対時刻が、第２セッションのリードインの開始時刻としての絶対時刻である４０分５１秒４２フレームに２秒を加算した４０分５３秒４２フレーム（40'53''42）となっている。また、リードアウト（LEAD OUT）の開始時刻としての絶対時刻は、４０分５９秒４４フレーム（40'59''44）となっている。
【００６９】
上述したように、第１セッションのデータ領域には、複数のトラックのオーディオデータが記録されており、第１セッションの管理領域に記録されるリードインのTOC情報は、各トラックに記録されるオーディオデータの開始アドレスが記録されている。CPU７は、この開始アドレスに基づいて、オーディオデータを読み出すように、サーボDSP部５を制御する。
【００７０】
図６は、図１のディスク再生装置が光ディスク１のデータ領域に記録されているオーディオデータの種類（フォーマット）の判別を行うオーディオデータ判別処理を説明するフローチャートである。なお、このオーディオデータ判別処理は、例えば、ユーザが、ディスク再生装置に光ディスク１を挿入したとき開始される。
【００７１】
ステップＳ１１において、ピックアップ部３は、光ディスク１のTOC情報を読み出し、そのTOC情報を、ＲＦアンプ４および再生処理部８を介してCPU７に供給して、ステップＳ１２に進む。なお、光ディスク１がマルチセッションＣＤである場合は、ピックアップ部３は、最初のセッション（第１セッション）のリードインに記録されるTOC情報を読み出す。
【００７２】
具体的には、CPU７は、サーボDSP部５を制御して、TOC情報の再生を実行させる。サーボDSP部５は、モータドライバ６を制御することにより、スピンドルモータ２を制御し、光ディスク１を回転駆動させるとともに、ピックアップ部３を制御し、光ディスク１の第１セッションのリードインにレーザ光を集光して照射させる。ピックアップ部３は、光ディスク１からの反射光を光電変換し、その結果得られる信号を、ＲＦアンプ４に供給する。ＲＦアンプ４は、ピックアップ部３からの信号に基づいて、フォーカス誤差信号およびトラッキング誤差信号、並びにＲＦ信号を生成して、トラッキング誤差信号およびフォーカス誤差信号をサーボDSP部５に供給するとともに、ＲＦ信号を２値化し、再生処理部８を介して、CPU７に供給する。なお、サーボDSP部５は、トラッキング誤差信号およびフォーカス誤差信号に基づいて、モータドライバ６を制御する。
【００７３】
ステップＳ１２において、CPU７は、第１セッションのTOC情報のコントロールビットに基づいて、光ディスク１の第１セッションのデータ領域に記録されているすべてのトラックのオーディオデータが、CD-DAデータであるか否かを判定する。即ち、例えば、CPU７は、第１セッションのすべてのトラックに関するTOC情報それぞれのコントロールビットの値が「００００」である場合、CD-DAデータであると判定する。
【００７４】
ステップＳ１２において、すべてのトラックのオーディオデータがCD-DAデータであると判定された場合、ステップＳ１３に進み、CPU７は、TOC情報のコントロールビットにより、光ディスク１のデータ領域に記録されているオーディオデータがCD-DAデータであると判別し、その判別結果を再生処理部８に供給して処理を終了する。
【００７５】
一方、ステップＳ１２において、すべてのトラックのオーディオデータがCD-DAデータではないと判定された場合、CPU７は、ステップＳ１４に進み、光ディスク１の第１セッションのデータ領域に記録されているすべてのトラックのデータが、ROMデータであるか否かを判定する。即ち、例えば、CPU７は、第１セッションのすべてのトラックに関するTOC情報それぞれのコントロールビットの値が「０１００」である場合、ROMデータであると判定する。
【００７６】
例えば、第１セッションのTOC情報が図５に示したようになっている光ディスク１がディスク再生装置に挿入された場合、第１セッションのすべてのトラックに関するTOC情報それぞれのコントロールビットの値は「０１００」になっているので、第１セッションのデータ領域に記録されているすべてのトラックのデータは、ROMデータであると判定される。
【００７７】
ステップＳ１４において、すべてのトラックのデータがROMデータであると判定された場合、CPU７は、ステップＳ１５に進み、第１セッションのデータ領域に、ROMデータが記録されているかどうかを検出して、ステップＳ１６に進む。例えば、CPU７は、データ領域に記録されているデータを構成するファイルの拡張子が、ROMデータであるMP3のデータを表す「MP3」であるかどうかを判定することにより、ROMデータの有無を検出する。即ち、CPU７は、ファイルの拡張子が「MP3」である場合、ROMデータがある（記録されている）ことを検出し、ファイルの拡張子が「MP3」ではない場合、ROMデータがない（記録されていない）ことを検出する。
【００７８】
ステップＳ１６において、CPU７は、ステップＳ１５で検出されたROMデータの有無により、第１セッションのデータ領域にROMデータが記録されているか否かを判定する。
【００７９】
ステップＳ１６において、ROMデータが記録されていると判定された場合、即ち、コントロールビットの示す情報が正確な情報である場合、CPU７は、ステップＳ１７に進み、第１セッションのデータ領域に記録されているオーディオデータは、ROMデータであると判別し、その結果を再生処理部８に供給して、処理を終了する。
【００８０】
一方、ステップＳ１６において、ROMデータが記録されていないと判定された場合、即ち、コントロールビットの示す情報が嘘の情報である場合、ステップＳ１８に進み、CPU７は、コントロールビットの示す情報を無視して、第１セッションのデータ領域に記録されているオーディオデータは、CD-DAデータであると判別して、その判別結果を再生処理部８に供給し、処理を終了する。即ち、この場合、光ディスク１は、CCCDである。
【００８１】
上述したステップＳ１４乃至ステップＳ１８では、CPU７は、コントロールビットが、データ領域に記録されているオーディオデータがROMデータである旨を表している場合、さらに、実際にデータ領域にROMデータが記録されているかどうかを判定し、ROMデータが記録されていない場合、コントロールビットの示す情報を無視して、データ領域に記録されているデータは、CD-DAデータであると判別する。従って、光ディスク１が、例えばMedia CloQ式でコントロールビットに嘘の情報が記録されているCCCDである場合であっても、ディスク再生装置では、コントロールビットの示す情報を無視して、データ領域に記録されているオーディオデータの種類を正確に判別し、その判別結果に応じて、オーディオデータを再生させることにより、正常にオーディオデータを再生することができる。
【００８２】
例えば、第１セッションのTOC情報が図５に示したようになっており、そのデータ領域に、CD-DAデータが記録されているCCCDでは、第１セッションのすべてのトラックに関するTOC情報それぞれのコントロールビットの値は、データ領域のデータがROMデータであることを表す「０１００」となっている。しかしながら、そのCCCDのデータ領域には、ROMデータは記録されていないので、ディスク再生装置では、データ領域に記録されているデータは、CD-DAデータであると判別される。従って、ディスク再生装置では、この判別結果に応じて、コントロールビットの示す情報を無視して、オーディオデータをCD-DAデータであるとして再生することにより、正常にオーディオデータを再生することができる。
【００８３】
ステップＳ１４において、すべてのトラックのオーディオデータがROMデータではないと判定された場合、CPU７は、ステップＳ１９に進み、すべてのトラックのオーディオデータがCD-DAデータでも、ROMデータでもないので、第１セッションのデータ領域に記録されているオーディオデータは、CD-DAデータとROMデータが混在するミックスモードＣＤのオーディオデータであると判別し、その判別結果を再生処理部８に供給して、処理を終了する。
【００８４】
図７は、図１のディスク再生装置が、光ディスク１に記録されているオーディオデータを再生する再生処理を説明するフローチャートである。なお、この再生処理は、ユーザが光ディスク１を挿入することにより、図６のオーディオデータ判別処理が行われた後、例えば、ユーザが不図示の操作部を操作すること等により、その光ディスク１の再生が指令されたとき開始される。
【００８５】
ステップＳ３１において、再生処理部８は、図６のステップＳ１３、ステップＳ１７、ステップＳ１８、またはステップＳ１９で、CPU７から供給される判別結果が、データ領域に記録されているオーディオデータはCD-DAデータであるという判別結果であるかどうかを判定し、CD-DAデータであるという判別結果であると判定した場合、ステップＳ３２に進む。
【００８６】
ステップＳ３２において、再生処理部８は、ピックアップ部３からＲＦアンプ４を介して供給されるＲＦ信号を、CD-DAデータとして再生する再生処理を行い、処理を終了する。
【００８７】
具体的には、CPU７は、図６のステップＳ１１で再生処理部８から供給されたTOC情報の開始アドレスを示すＰmin，Ｐsec，Ｐframeに基づいて、サーボDSP部５を制御し、サーボDSP部５が、スピンドルモータ２とピックアップ部３を制御することにより、光ディスク１の所定の位置にレーザ光を集光して照射させ、これにより、ピックアップ部３は、光ディスク１からオーディオデータに対応するＲＦ信号を得て、ＲＦアンプ４を介し、再生処理部８に供給する。再生処理部８は、ＲＦアンプ４を介して供給されたＲＦ信号をCD-DAデータとして再生する再生処理を行い、DAC９およびアンプ１０を介してスピーカ１１に供給して出力させる。即ち、CPU７は、CD-DAデータであるという判別結果を再生処理部８に供給することにより、オーディオデータをCD-DAデータとして再生するように、再生処理部８を制御する。なお、光ディスク１がマルチセッションＣＤである場合、CPU７は、例えば、最初のセッションである第１セッションのオーディオデータのみの再生制御を行う。
【００８８】
一方、ステップＳ３１において、CPU７からの判別結果が、データ領域に記録されているオーディオデータがCD-DAデータであるという判別結果ではないと判定された場合、ステップＳ３３に進み、再生処理部８は、CPU７から供給される判別結果が、データ領域に記録されているオーディオデータがROMデータであるという判別結果であるか否かを判定し、ROMデータであるという判別結果であると判定した場合、ステップＳ３４に進む。
【００８９】
ステップＳ３４において、再生処理部８は、ピックアップ部３からＲＦアンプ４を介して供給されるＲＦ信号を、ROMデータとして再生する再生処理を行い、処理を終了する。
【００９０】
具体的には、再生処理部８は、判別結果が、データ領域に記録されているオーディオデータがROMデータであるという判別結果である場合、ＲＦアンプ４から供給されるＲＦ信号をデコード部８Ａにデコードさせる等の、MP3のオーディオデータの再生処理を行い、DAC９およびアンプ１０を介して、スピーカ１１に供給して出力させる。即ち、CPU７は、ROMデータであるという判別結果を再生処理部８に供給することにより、オーディオデータをROMデータとして再生するように、再生処理部８を制御する。なお、光ディスク１がマルチセッションＣＤである場合、CPU７は、例えば、最初のセッションである第１セッションのオーディオデータのみの再生制御を行う。
【００９１】
ステップＳ３３において、CPU７からの判別結果が、データ領域に記録されているオーディオデータがROMデータであるという判別結果ではないと判定された場合、光ディスク１に記録されているオーディオデータはミックスモードＣＤのオーディオデータであるので、ステップＳ３５に進み、再生処理部８は、ＲＦアンプ４から供給されるＲＦ信号を、TOC情報のコントロールビットに基づいて再生し、処理を終了する。
【００９２】
具体的には、CPU７は、ステップＳ１１でピックアップ部３から再生処理部８を介して供給されたTOC情報のコントロールビットに基づいて、再生処理部８を制御する。即ち、CPU７は、再生対象となるオーディオデータが記録されているトラックについてのTOC情報のコントロールビットが、データ領域に記録されているオーディオデータがCD-DAデータであることを示す「００００」となっている場合、再生処理部８にオーディオデータをCD-DAデータとして再生させ、再生対象となるオーディオデータが記録されているトラックについてのTOC情報のコントロールビットが、データ領域に記録されているオーディオデータがROMデータであることを示す「０１００」となっている場合、再生処理部８にオーディオデータをROMデータとして再生させる。
【００９３】
なお、上述した説明では、光ディスク１がマルチセッションＣＤである場合、CPU７は、最初のセッションである第１セッションのオーディオデータのみ再生したが、第２セッション以降のオーディオデータも同様に再生することができる。
【００９４】
以上のように、図１に示すディスク再生装置では、光ディスク１に記録されているTOC情報を読み出し、その読み出されたTOC情報のコントロールビットに基づいて、データ領域に記録されているオーディオデータがROMデータであるか否かを判断し、オーディオデータがROMデータであると判定された場合、データ領域にROMデータが実際に記録されているか否かを判定し、ROMデータが記録されていないと判定された場合、オーディオデータがCD-DAデータであるとして再生するようにしたので、実際には、光ディスク１に記録されているオーディオデータがCD-DAデータであるのに、TOC情報のコントロールビットに、光ディスク１に記録されているオーディオデータがROMデータであることを示す嘘の情報が記録されるMedia CloQ等のCCCDを再生する場合において、ディスク再生装置は、データ領域に記録されているオーディオデータが、CD-DAデータであると認識して、そのオーディオデータを正常に再生することができる。
【００９５】
また、ディスク再生装置では、TOC情報のコントロールビットに基づいて、データ領域に記録されているオーディオデータがROMデータであると判定され、データ領域にROMデータが実際に記録されていると判定された場合、TOC情報は正常であり、データ領域に記録されているオーディオデータがROMデータであると認識して、そのオーディオデータを再生するので、TOC情報が正常な、データ領域にROMデータが記録されている光ディスク１を正常に再生することができる。
【００９６】
さらに、ディスク再生装置では、TOC情報のコントロールビットに基づいて、データ領域に記録されているオーディオデータがCD-DAデータであると判定された場合、TOC情報は正常であり、データ領域に記録されているオーディオデータがCD-DAデータであると認識して、そのオーディオデータを再生するので、TOC情報が正常な、データ領域にCD-DAデータが記録されている光ディスク１を正常に再生することができる。
【００９７】
また、ユーザが、ディスク再生装置に光ディスク１を挿入するだけで、ディスク再生装置が、オーディオデータ判別処理を行い、データ領域に記録されているオーディオデータの種類を判別し、その判別結果に応じて、オーディオデータを再生するので、ユーザは、光ディスク１がCCCD、または、レッドブックの規格に準拠した音楽CD等であるかどうかを意識する必要がない。さらに、ディスク再生装置には、光ディスク１がCCCDであるかどうかによって、それ専用に再生モードを切り替える特別な操作ボタンを設ける必要がない。
【００９８】
上述した説明では、光ディスク１は、マルチセッションＣＤとしたが、１つのセッションから構成されるシングルセッションＣＤであってもよい。
【００９９】
また、本実施の形態では、CPU７が、ファイルの拡張子がMP3であるかどうかを判定することにより、ROMデータの有無を検出したが、その他、実際に光ディスク１から読み出したオーディオデータをデコード部８Ａにデコードさせ、正常にデコード可能かどうかを判定することにより、ROMデータの有無を検出することもできる。
【０１００】
さらに、ROMデータは、MP3方式で圧縮されたデータはなく、例えば、ATRAC（Adaptive Transform Acoustic Coding）方式等で圧縮されたデータでもよい。この場合、デコード部８ＡをATRAC方式の圧縮データをデコードするものとするが、再生処理部８に、ATRAC方式のデコーダを内蔵させる必要がある。
【０１０１】
記録媒体は、光ディスク、または磁気ディスクや半導体メモリなどのランダムアクセス可能なものでもよい。また、記録媒体として、ビデオデータ等が記録されている媒体も適用できる。
【０１０２】
ここで、本明細書において、コンピュータに各種の処理を行わせるためのプログラムを記述する処理ステップは、必ずしもフローチャートとして記載された順序に沿って時系列に処理する必要はなく、並列的あるいは個別に実行される処理（例えば、並列処理あるいはオブジェクトによる処理）も含むものである。
【図面の簡単な説明】
【０１０３】
【図１】本発明を適用したディスク再生装置の一実施の形態の構成例を示すブロック図である。
【図２】図１の光ディスクの構成例の概要を示す図である。
【図３】図２の光ディスクのフォーマットの例を示す図である。
【図４】図３のリードインに記録されるTOC情報のフォーマットの例を示す図である。
【図５】TOC情報によって表現される情報の例を示す図である。
【図６】図１のディスク再生装置が、光ディスクのデータ領域に記録されているオーディオデータの種類（フォーマット）の判別を行うオーディオデータ判別処理を説明するフローチャートである。
【図７】図１のディスク再生装置が、光ディスクに記録されているオーディオデータを再生する再生処理を説明するフローチャートである。
【符号の説明】
【０１０４】
１  光ディスク，  ２  スピンドルモータ，  ３  ピックアップ部，  ４  ＲＦアンプ，  ５  サーボDSP部，  ６  モータドライバ，  ７  CPU，  ８  再生処理部，  ８Ａ  デコード部，  ９  DAC，  １０  アンプ，  １１  スピーカ
【図１】
2005141796.tif 000003
【図２】
2005141796.tif 000004
【図３】
2005141796.tif 000005
【図４】
2005141796.tif 000006
【図５】
2005141796.tif 000007
【図６】
2005141796.tif 000008
【図７】
2005141796.tif 000009